(57)【要約】【課題】  イカ釣り・魚釣りに大別されて発明考案されていた釣り仕掛け保持・投入装置等を一器具により両用可能とし、安価で携行・設置が容易であるとともに、糸がらみの軽減と安全に各種釣り仕掛けを保持・投入することのできる釣り仕掛け投入具を提供する。【解決手段】  弾性力を有する部材又は直線形状の部材を用い、イカ釣り針・魚釣り針の保持投入を一器具により両用可能とした釣り仕掛け投入具を提供する。  船縁への係止において、柔軟性部材の両面に面ファスナーを固着し、L型部材をもって様々な船縁幅に適応するよう構成されたベルト方式の船縁係止具を提供する。  釣り仕掛けの保持・投入時において、釣り糸を挟持性を有する部材に挟持し、釣り糸の挟持部材への糸絡みを防止した可倒方式の糸掛け板を提供する【選択図】図１
2012139241.tif 000002
【特許請求の範囲】
【請求項１】
弾性力を有する部材又は直線形状の部材を用い、イカ釣り針・魚釣り針の保持投入を一器具により両用可能としたことを特徴とする釣り仕掛け投入具。
【請求項２】
船縁への係止において柔軟性部材の両面に面ファスナーを固着し、L型部材をもって様々な船縁幅に適応するよう構成されたベルト方式の船縁係止具を特徴とする請求項1の釣り仕掛け投入具。
【請求項３】
釣り仕掛けの保持・投入時において釣り糸を挟持性を有する部材に挟持し、釣り糸の挟持部材への糸絡みを防止した可倒方式の糸掛け板を特徴とする請求項1の釣り仕掛け投入具。
【発明の詳細な説明】
【技術分野】
【０００１】
船釣りにおいて釣り仕掛けを船縁に保持し投入するための釣り仕掛け投入具に関する。
【背景技術】
【０００２】
従来、釣り仕掛けを保持し投入する装置等はイカ釣り用・魚釣り用とに大別され一器具において両用できるものはなかった。
【０００３】
これまで様々な釣り仕掛けの保持・投入を目的とする発明考案があったが、性能追及のため大型で高価な物や重量のかさばる物が多く、釣り人の負担が増すものであった。
【０００４】
さらに挟持方式の釣り糸保持投入器具はその多くが直立固定方式であり、複数の切込み部に釣り糸を挟持することにより釣り糸が環状となり、切込みと切込みの間に存在する山形部位を締め付けるように落下不良となったり、連結具を使用した釣り糸の場合は切込みを通過できずに落下不良となる原因を有していた。
【先行技術文献】
【特許文献】
【０００５】
【特許文献１】特開2010-263792
【特許文献２】特開2005-245463
【特許文献３】特開2003-023940
【特許文献４】特開2000-287597
【非特許文献】
【０００６】
【非特許文献１】登録実用新案第３１３０５４４号
【発明の概要】
【発明が解決しようとする課題】
【０００７】
イカ釣り・魚釣りに大別されて発明考案されていた釣り仕掛けの保持・投入装置等を一器具により両用可能とし、安価で携行・設置が容易であるとともに、糸がらみの軽減と安全に各種釣り仕掛けを保持・投入することのできる釣り仕掛け投入具を提供する。
【課題を解決するための手段】
【０００８】
弾性力を有する部材又は直線形状の部材を用い、イカ釣り針・魚釣り針の保持投入を一器具により両用可能とした釣り仕掛け投入具を提供する。
【０００９】
船縁への係止において柔軟性部材の両面に面ファスナーを固着し、L型部材をもって様々な船縁幅に適応するよう構成されたベルト方式の船縁係止具を提供する。
【００１０】
釣り仕掛けの保持・投入時において釣り糸を挟持性を有する部材に挟持し、釣り糸の挟持部材への糸絡みを防止した可倒方式の糸掛け板を提供する。
【発明の効果】
【００１１】
本発明により、釣り場において対象魚を変更した場合にも釣り仕掛け投入装置等を取り換える必要がなく、複数の器具を持ち歩かなくてもよい。
【００１２】
釣り糸の挟持部を可倒方式としたため挟持部への糸絡みは解消され、連結具使用時においても従来の発明考案から更に向上した。
【００１３】
軽量コンパクトであり携行・設置も容易である。
【００１４】
また、各部材の損傷時にも交換可能部材の構成となっており容易に修復できる。
【００１５】
本発明品の製作は容易で費用も安価なものであり製作者・利用者共に利を得ることができる。
【図面の簡単な説明】
【００１６】
【図１】本発明の斜視図
【図２】釣り仕掛け投入具の海側面からの斜視図
【図３】仕切板の斜視図
【図４】船縁係止具の斜視図
【図５】糸掛け板の斜視図
【図６】挟持部の糸抜け方式の斜視図
【発明を実施するための形態】
【００１７】
本発明の各々の構造について説明したい。
【００１８】
釣り仕掛け投入具(1 )について。
【００１９】
釣り仕掛け投入具(1)には、山形形状をなす複数の仕切り板(2)が設けられ底部よりビス固定とし着脱可能となっている。
【００２０】
海側張出部(5)は湾曲となっており、釣り仕掛けのスムーズな落下と船への針掛かりを防止している。
【００２１】
両側端上部には脱線防止突起(6)を設け、釣り仕掛け投入時に釣り糸が外側にズレて本体に絡むことを防止している。
【００２２】
その面に錘掛け(7)を備え、錘を吊下げることにより釣り仕掛け保持時の錘の不用意な転動や落下を防止している。
【００２３】
両側下部には船縁係止具(3)の海側L型部材(8)を組み込むための間隙(9)を設け、その構造と部材(8)からの圧迫により脱落を防止している。
【００２４】
仕切板(2)について。
【００２５】
仕切り板(2)の頂部付近には釣針を引っ掛けるための弾性力を有する部材(10)が取り付けられている。
【００２６】
その裏面には弾性力を有する部材(10)の固定状態確保と、部材(10)と仕切板(2)との間に釣り糸の侵入を防止するための部材止め部(11)が形成されている。
【００２７】
頂部には直線形状の部材(12)を挿入し、引抜くための孔(13)が設けられている。
【００２８】
船縁係止具(3)について。
【００２９】
船縁係止具(3)は一対であり、海側L型部材(8)と船側L型部材(14)とを連結する帯状柔軟性部材(15)とから構成されている。
【００３０】
海側L型部材(8)は船縁の船内側に長く、海面側に短いL型をなし釣り仕掛け投入具(1)の間隙(9)に組み込み、部材(8)の角度は鋭角である。
【００３１】
帯状柔軟性部材(15)はその両面に面ファスナー(16)を個着し、船縁係止具(3)の緊張と糸掛け板(4)を部材(16)の任意の位置への貼着を図っている、その端末は船側L型部材(14)の脱落を防止するため折り返して縫製されている。
【００３２】
船側L型部材(14)には、船縁係止具(3)の緊張を容易にし面ファスナー(16)を保護するためのローラー(17)が組み込まれている。
【００３３】
また、その底部にはL型薄板(18)を固定するためのボルト(19)が固着されている。
【００３４】
L型薄板(18)は様々な船縁側板の厚みに適合させるため、その面には2本の切欠き部(20)を形成し、ボルト(19)と蝶ナット(21)により調整可能に構成されている。
【００３５】
糸掛け板(4)について。
【００３６】
糸掛け板(4)の糸掛け部(22)は狭窄性を有する部材で製作されており滴型の長形をなし、その両端は可倒規制部(23)で支えられている。
【００３７】
また、糸掛け部(22)は可倒規制部(23)に支えるための軸(24)を内蔵し、その重心は下部にあり図5「糸掛け板斜視図中a」の状態を保とうとする。
【００３８】
釣り仕掛け投入時には海側へ水平、あるいはそれ以上の傾きを得ることによりその曲面部を露出し糸絡みの防止を図っている。
【００３９】
くわえて、切込み(26)に挟持された釣り糸と糸掛け部(22)はほぼ水平となるため、連結具を装着した釣り糸でもスムーズに糸抜けが行われる。
【００４０】
可倒規制部(23)は、釣り糸挟持時に糸掛け部(22)の船内側への必要以上の傾きを防止して釣り糸の挟持を容易にしている。
【００４１】
糸抜けの相違点について図6を介して説明する。
【００４２】
図6中Aは切込み部と切込み部の間に存在する山形部位を締め付けるように落下不良となった状態である。
図６中Bは釣り糸の連結部材が切込みを通過不良となった状態である。
図６中C〜Dは可倒方式によりA・Bの問題点を解決しようとするものである。
【００４３】
頂部には釣り糸の挟持操作を容易にするための誘導口(25)及び切れ込み(26)が設けられている。
【００４４】
安定板(27)の底部には、船縁係止具(3)の面ファスナーに貼着するための面ファスナー(16)が固着されており、その任意の位置に貼着できる。
【００４５】
釣り仕掛け投入時の安定性を保持し、携行時には内側に折りたたむ構造となっている
【実施例】
【００４６】
釣り仕掛け投入具(1)の海側張出部(5)を海側に向け船縁係止具(3)の海側L型部材(8)を組み込ませ、船縁上面の海側角に設置する。
【００４７】
L型薄板(18)を船内の船縁側板下方端に引っ掛け、船縁係止具(3)を引き締めて面ファスナー(16)に貼着することにより船縁に固定する。
【００４８】
船縁に固定された船縁係止具(3)の面ファスナー(16)の任意の位置に糸掛け板(4)を貼着する。
【００４９】
上記3項目の操作により釣り仕掛け投入具(1)の有効な使用状態が完成する。
【００５０】
釣り仕掛けの保持は、海中より回収した釣り針を弾性力を有する部材(10)に引っ掛け船内側に引くことになるが、それは仕切板(2)の部材止め部(11)の構造により固定状態となる、そのため緊張しながら釣り糸を糸掛け部(22)の切れ込み(26)に挟持出来る。
これらの操作により風・波の影響を受けても釣り仕掛けは混乱しない。
【００５１】
釣り仕掛けの投入は、錘を海中に投入することにより順次弾性力を有する部材(10)から釣り針が外れ、引き続き切込み(26)に挟持した釣り糸が抜け、落下することにより釣り仕掛けの保持可能状態に復帰する。
【００５２】
弾性力を有する部材(10)に引っ掛けられた釣針はそのままの状態で順次海中に落下することは最良の状態であるが、時として引っかかったまま、あるいは反転して引っかかったままの状態であっても、弾性力を有する部材(10)が錘の重みで引き開かれることにより釣針には抵抗が無くなり、いやおうなしに落下し上記の状態となる。  
【００５３】
また、仕切板(2)の弾性力を有する部材(10)を直線形状の部材(12)に変えて部材(2)に設けられた孔(13)に差し込み、引抜くことにより本発明を実施できる。
【００５４】
仕切板(2)の弾性力を有する部材(10)の欠損時にも、上記要領により代行できる。
【符号の説明】
【００５５】
1    釣り仕掛け投入具
2    仕切板
3    船縁係止具
4    糸掛け板
5    海側張出部
6    脱線防止突起   
7    錘掛け
8    海側L型部材
9    間隙
10  弾性力を有する部材
11  部材止め部
12  直線形状の部材
13  孔
14  船側L型部材
15  帯状柔軟性部材
16  面ファスナー
17  ローラー 
18  L型薄板
19  ボルト
20  切欠き部
21  蝶ナット
22  糸掛け部   
23  可倒規制部
24  軸
25  誘導口
26  切れ込み
27  安定板
【図１】
2012139241.tif 000003
【図２】
2012139241.tif 000004
【図３】
2012139241.tif 000005
【図４】
2012139241.tif 000006
【図５】
2012139241.tif 000007
【図６】
2012139241.tif 000008